(57)【要約】  【課題】缶商品を円滑に回転駆動して中身飲料の撹拌効果を高め、均一に効率よく加熱できるようにした缶商品加熱装置を提供する。  【解決手段】缶商品１０を起立姿勢に保持する商品受台１１と、缶商品１０の外周を左右方向から包囲する誘導加熱コイル１２を装備し、缶商品１０の上部を保持する保持体１３を備え、缶商品１０を商品受台１１に保持させた時、誘導加熱コイル１２は左右方向から移動して缶商品１０を包囲し、上部から保持体１３が下方へ移動して缶商品１０の上部を保持し、保持体１３は誘導加熱コイル１２と缶商品１０の間に保持される構成としたものである。【選択図】図１
2007293754.tif 000002
【特許請求の範囲】
【請求項１】
自動販売機の商品収納部から商品取出口に搬出した商品をホット商品の販売適温に加熱する誘導加熱式の缶商品加熱装置において、缶商品を起立姿勢に保持する商品受台と、缶商品の外周を左右方向から包囲する誘導加熱コイルを装備し、缶商品の上部を保持する保持体を備え、缶商品を前記商品受台に保持させた時、前記誘導加熱コイルは左右方向から移動して缶商品を包囲し、上部から前記保持体が下方へ移動して缶商品の上部を保持し、前記保持体は前記誘導加熱コイルと缶商品の間に保持されることを特徴とする自動販売機の缶商品加熱装置。
【請求項２】
保持体は外側に誘導加熱コイルによる局部加熱を防止する磁気シールド部材と、内側に缶商品を直接固定する保持部材を備え、商品受台が回転駆動するとき、前記シールド部材は静止し、前記保持部材は回転駆動し、前記誘導加熱コイルに給電して誘導加熱することを特徴とする請求項１に記載の自動販売機の缶商品加熱装置。
【請求項３】
左右に分割された誘導加熱コイルを常時は待機位置に保持し、缶商品が商品受台に設置されたときに、待機位置から加熱位置に移動する移動手段を備えたことを特徴とする請求項１に記載の自動販売機の缶商品加熱装置。
【請求項４】
商品受台の上面に缶商品の温度を検出する缶温度検知センサを備えたことを特徴とする請求項１から３のいずれか一項に記載の自動販売機の缶商品加熱装置。
【請求項５】
缶商品と係合して固定される保持部材の周縁部にはテーパが形成されていることを特徴とする請求項１または２に記載の自動販売機の缶商品加熱装置。
【発明の詳細な説明】
【技術分野】
【０００１】
本発明は自動販売機内に誘導加熱式の缶商品加熱装置を搭載し、販売された缶商品を急速加熱する誘導加熱式の缶商品加熱装置に関するものである。
【背景技術】
【０００２】
従来、この種の自動販売機で、缶商品を誘導加熱式の加熱装置で急速加熱してホット商品とするようにしたものが特許文献１にある。
【０００３】
図７は特許文献１に記載された従来の自動販売機の缶商品加熱装置の正面図である。図に示すように、缶商品加熱装置１は缶商品２を支える缶受プレート３とプレート内周面上に螺旋状の突起３ａを備え、缶受プレート３の外周には誘導加熱コイル４が備えられ下部に撹拌機構５を配置し、撹拌機構５は駆動モータ５ａ、缶商品２が載せられる回転板５ｂで構成されている。またこの缶商品加熱装置１は自動販売機の商品取出口に通じる搬出経路途上に備えられている。
【０００４】
以上のように構成された缶商品加熱装置について、以下その動作を説明する。
【０００５】
まず、自動販売機の商品選択ボタン（図示しない）を押して加温可能な缶商品を選択する。缶商品２は搬出経路途上にある缶商品加熱装置１に収容され半円筒状の缶受プレート３上に前傾姿勢で支えられ回転板５ｂに当てて回転操作すると、缶商品２は螺旋状の突起３ａとの摺動による螺旋送り作用を受けて回転板５ｂに向かう軸方向の推力が加わるようになる。
【０００６】
そして螺旋状突起３ａの傾斜角をαとすれば軸方向の推力は回転板５ｂの缶商品２に対する抗力となるので缶商品２と回転板５ｂの間のスリップ発生が抑制されて缶商品２が円滑に回転するようになり、中身飲料の撹拌効果が向上する。
【特許文献１】特開平６−３６１３３号公報
【発明の開示】
【発明が解決しようとする課題】
【０００７】
しかしながら、上記従来の構成では、螺旋状突起３ａの推力による摩擦力の増加分で缶商品を回転させるのでは、缶商品の缶径の違いや缶の高さによって螺旋状突起３ａと缶商品の間に働く推力は異なり、細缶や缶高さが低い場合、螺旋状突起３ａとの摺動面が小さくなり回転中のスリップが生じて缶商品が円滑に回転できないことがある。
【０００８】
またスリップが生じると缶商品の表面が局部的に過熱されて焦げ付くなど不具合が生じる。
【０００９】
本発明は上記従来の課題を解決するもので、缶商品を円滑に回転駆動して中身飲料の撹拌効果を高め、均一に効率よく加熱できるようにした缶商品加熱装置を提供することを目的とする。
【課題を解決するための手段】
【００１０】
上記従来の課題を解決するために、本発明の自動販売機は、缶商品を起立姿勢に保持する商品受台と、缶商品の外周を左右方向から包囲する誘導加熱コイルを装備し、缶商品の上部を保持する保持体を備え、缶商品を前記商品受台に保持させた時、前記誘導加熱コイルは左右方向から移動して缶商品を包囲し、上部から前記保持体が下方へ移動して缶商品の上部を保持し、前記保持体は前記誘導加熱コイルと缶商品の間に保持される構成としたものである。
【００１１】
これによって、缶商品の上部を保持部材によって固定し商品受台を回転させるので円滑に回転させることができる。
【００１２】
また該保持部材の周縁部は断面がテーパ形状で形成されているので缶径の大小に関係なく確実に缶商品を保持することができる。
【発明の効果】
【００１３】
本発明の自動販売機の缶商品加熱装置は、缶商品の上部を保持部材によって固定し、商品を保持部材と商品受台で挟んで回転させるのでスリップの発生を低減し缶商品を円滑に回転することができる。
【発明を実施するための最良の形態】
【００１４】
請求項１に記載の発明は、自動販売機の商品収納部から商品取出口に搬出した商品をホット商品の販売適温に加熱する誘導加熱式の缶商品加熱装置において、缶商品を起立姿勢に保持する商品受台と、缶商品の外周を左右方向から包囲する誘導加熱コイルを装備し、缶商品の上部を保持する保持体を備え、缶商品を前記商品受台に保持させた時、前記誘導加熱コイルは左右方向から移動して缶商品を包囲し、上部から前記保持体が下方へ移動して缶商品の上部を保持し、前記保持体は前記誘導加熱コイルと缶商品の間に保持されることにより、缶商品を確実に固定することができ、回転時のスリップの発生を低減することができる。
【００１５】
請求項２に記載の発明は、請求項１に記載の発明に、保持体は外側に誘導加熱コイルによる局部加熱を防止する磁気シールド部材と、内側に缶商品を直接固定する保持部材を備え、商品受台が回転駆動するとき、前記磁気シールド部材は静止し、前記保持部材は回転駆動し、前記誘導加熱コイルに給電して誘導加熱することにより、商品を一定に加熱することができる。
【００１６】
請求項３に記載の発明は、請求項１に記載の発明に、左右に分割された誘導加熱コイルを常時は待機位置に保持し、缶商品が商品受台に設置されたときに、待機位置から加熱位置に移動する移動手段を備えたことにより、利用者が商品を容易に設置することができる。
【００１７】
請求項４に記載の発明は、請求項１から３のいずれか一項に記載の発明に、商品受台の上面に缶商品の温度を検出する缶温度検知センサを備えたことにより、商品を適温まで加熱制御することができる。
【００１８】
請求項５に記載の発明は、請求項１または２に記載の発明に、缶商品と係合して固定される保持部材の周縁部にはテーパが形成されていることで、商品径が異なる商品でも保持部材によって確実に保持することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における自動販売機の缶商品加熱装置の正面断面図である。図２は、同実施の形態の自動販売機本体の正面図である。図３は、同実施の形態の自動販売機の缶商品加熱装置の待機時の正面断面図である。図４は、同実施の形態の自動販売機の缶商品加熱装置の動作時の正面断面図である。図５は、同実施の形態の自動販売機の缶商品加熱装置の動作時の正面断面図である。図６は、同実施の形態の自動販売機の缶商品加熱装置の加熱時の正面断面図である。
【００２１】
図１、図２において、缶商品１０の底面部は商品受台１１に起立姿勢の状態で載置されている。缶商品１０の側面部には誘導加熱コイル１２が配置され、缶商品１０と誘導加熱コイル１２の間には缶商品１０を保持する保持体１３が備えられている。
【００２２】
保持体１３は内部に保持部材１４を備え、缶商品１０を直接保持する構造となっている。保持部材１４の外側には誘導加熱コイル１２による缶商品の局部加熱を防止する磁気シールド部材２８が形成され、図１のように磁気シールド部材に接するように誘導加熱コイル１２が配置される。磁気シールド部材２８の上部には保持部材１４を軸支する機構部２８ａが備えられ保持部材１４はその上部を支軸１５によって機構部２８ａ内のベアリング１６によって回転支持されている。保持部材１４の下端側の周縁部１４ａには内面にテーパが形成されている。
【００２３】
誘導加熱コイル１２の下部には移動可能手段１７が備えられており、誘導加熱コイル１２を左右方向に移動可能である。誘導加熱コイル１２は図のように左右２部品で断面が円弧状に形成されている。
【００２４】
商品受台１１の下部には駆動モータ１８があり、商品受台１１と駆動モータ１８で回転撹拌機構１９を形成している。
【００２５】
上記のように缶商品加熱装置２０は回転撹拌機構１９と保持体１３と誘導加熱コイル１２で形成されている。また缶商品加熱装置２０は自動販売機２１の扉体２２に形成されている。缶商品加熱装置２０は商品サンプル展示室２３と商品取出口２４の間に形成した商品投入口２５の奥に備えられている。
【００２６】
商品投入口２５内に形成された開口部２６内に駆動モータ１８が配置し、開口部２６を塞ぐように商品受台１１が配置している。商品受台１１と開口部２６を形成する板面１１ａはほぼ同じ面になるように構成されている。
【００２７】
以上のように構成された自動販売機の缶商品加熱装置について動作を説明する。
【００２８】
図３のように商品投入口２５内に缶商品１０を商品受台１１にセットして、扉体２２に備えた所定のスイッチを押すと板面１１ａ上を缶商品１０に向かって左右方向から２対の誘導加熱コイル１２が移動可能手段１７によって移動する。
【００２９】
図４のように誘導加熱コイル１２は缶商品１０の胴径サイズに合わせて包囲する位置で自動的に停止する。このとき缶商品１０の載置位置は商品受台１１上にて微調整され缶商品１０の回転中心と商品受台１１の回転中心とが自動調芯される。
【００３０】
図５のように誘導加熱コイル１２は保持体１３が降下できる位置まで一時退避すると、保持体１３は商品受台１１の鉛直方向で誘導加熱コイル１２の上方から缶商品１０に向かって降下し缶商品１０の上面周縁部を保持部材１４が圧接して固定され、誘導加熱コイル１２は保持体１３の表面に接する位置まで移動する。したがって保持部材１４による缶商品１０への押し圧により商品受台１１には缶商品１０から下方向の力が加わるので商品受台１１が回転しても缶商品がスリップして空回りするのを防止することができる。
【００３１】
特に商品受台１１の缶商品１０と接する面がわずかに凸凹に形成されていれば、なおスリップ回転を低減することができる。また、缶商品１０の回転中心と商品受台１１の回転中心とが自動調芯されることにより、缶商品１０は円滑に回転して回転バランスの不安定による異音の発生を防止するともに回転撹拌機構１９への負担を軽減することができる。
【００３２】
図６のように駆動モータ１８へ通電することにより商品受台１１が回転し、保持部材１４が支軸１５を軸にベアリング１６で回転する。また保持部材１４の周縁部１４ａにはテーパ形状が形成されているので缶径に関係なく保持することができる。
【００３３】
そして商品受台１１に備えられ缶商品１０の表面温度を検知する缶温度検知センサ２７によって、設定温度（例えば５０℃）になると回転撹拌駆動を停止し、誘導加熱コイル１２が板面１１ａ上を缶商品１０から離れる方向に移動し、保持体１３も上方向へ移動する。上記一連の動作が終了すると加温終了表示が点灯し、利用者に知らせる。
【００３４】
したがって、利用者が手動で缶商品を缶商品加熱装置に投入し、円滑に回転するので適温に加熱することができる。
【産業上の利用可能性】
【００３５】
以上のように本発明にかかる飲料自動販売機は缶飲料の形状や大きさにかかわらず加温できるので缶の種類を限定する必要がない。
【図面の簡単な説明】
【００３６】
【図１】本発明の実施の形態１における自動販売機の缶商品加熱装置の正面断面図
【図２】同実施の形態の自動販売機本体の正面図
【図３】同実施の形態の自動販売機の缶商品加熱装置の待機時の正面断面図
【図４】同実施の形態の自動販売機の缶商品加熱装置の動作時の正面断面図
【図５】同実施の形態の自動販売機の缶商品加熱装置の動作時の正面断面図
【図６】同実施の形態の自動販売機の缶商品加熱装置の加熱時の正面断面図
【図７】従来の自動販売機の缶商品加熱装置の正面図
【符号の説明】
【００３７】
１１  商品受台
１２  誘導加熱コイル
１３  保持体
１４  保持部材
１４ａ  周縁部
１７  移動可能手段
１９  回転撹拌機構
２０  缶商品加熱装置
２１  自動販売機
２４  商品取出口
２７  缶温度検知センサー
２８  磁気シールド部材
【図１】
2007293754.tif 000003
【図２】
2007293754.tif 000004
【図３】
2007293754.tif 000005
【図４】
2007293754.tif 000006
【図５】
2007293754.tif 000007
【図６】
2007293754.tif 000008
【図７】
2007293754.tif 000009